(57)【特許請求の範囲】
【請求項１】
先端口近傍の内面に、リフィールと接してペン先のガタ付きを防止するガタ付き防止部を一体に形成し、
前記ガタ付き防止部は軸方向に延びる複数の縦突起であり、
各縦突起は、リフィールの外周面に線接触するように、突起先端部分が横断面半円状または横断面三角形状に形成されていることを特徴とする出没式筆記具。
【請求項２】
前記先端口の内周面をその後部側よりも縮径し、前記リフィールが前記縦突起と前記先端口とによって二点支持されるようにしたことを特徴とする請求項１記載の出没式筆記具。
【発明の詳細な説明】
【０００１】
【発明の属する技術分野】
本発明は、筆記具に係わり、特にリフィールを繰出す機構によりペン先を出没可能にしている出没式筆記具に関するものである。
【０００２】
【従来の技術】
出没式筆記具は、軸筒内の繰出し機構によりリフィールを軸筒方向に進退させて軸筒先端に設けられた先口の先端口からペン先を出没させるように構成されている。
ところで、この出没式筆記具は、ペン先を前記先端口からスムーズに出没させるために先端口の内径をペン先の外径よりも若干大き目に形成しており、これに起因して、先端口内周面とペン先外周面との間に隙間が形成され、筆記時にペン先がガタついて筆跡が乱れてしまうという不具合を生ずる。
然して、この不具合を解消するために、軸筒先端の先口内にペン先外周面と摺接する小径の筒体を組み込み、ペン先のガタ付きを防止するようにしたものが提案されている（実開平５−１３７９０参照）。
【０００３】
【発明が解決しようとする課題】
しかしながら、上記ガタ付き防止用の筒体を取付けた出没式筆記具は、筒体が小型な別部材であるため、部品点数が多い上組付けが面倒で生産性が悪く、
更に、筒体の組付け忘れや脱落等により不良品を発生する原因となりかねない。その上、ペン先を出没させたときに筒体が外れてペン先と一緒に動いてしまう等の不具合も懸念される。
また、標準的なリフィールではペン先にインク収容管を嵌合するときにインク収容管の端部が拡管されるため、ペン先とインク収容管との接続箇所に段部が形成されており、製造上のバラツキ等によりリフィールの軸芯が軸筒の軸芯と完全に一致しない場合、前記段部が先口内や上記筒体内で引っ掛かってペン先の突出する動きを妨げる虞れがある。
【０００４】
本発明は上記従来事情に鑑みてなされたものであり、その目的とする処は、筆記時にペン先のガタ付きがないのは勿論のこと、生産性が良く、しかも、ペン先を突出させる際にリフィールの芯出し機能を備えた出没式筆記具を提供することにある。
【０００５】
【課題を解決するための手段】
上記目的を達成するための本発明の技術的手段として、第一の発明では、先端口近傍の内面に、リフィールと接してペン先のガタ付きを防止するガタ付き防止部を一体に形成し、前記ガタ付き防止部は軸方向に延びる複数の縦突起であり、各縦突起は、リフィールの外周面に線接触するように、突起先端部分が横断面半円状に形成されていることを特徴とする。
また、第二の発明では、前記先端口の内周面をその後部側よりも縮径し、前記リフィールが前記縦突起と前記先端口とによって二点支持されるようにしたことを特徴とする。
尚、先端口近傍の内面とは、軸筒の先端近傍の内面及び軸筒先端に設けられた先口の内面を含むものである。
【０００６】
上記技術的手段によれば本発明は、下記の作用を奏する。
一体に形成されたガタ付き防止部が、先端口近傍の内面でリフィールに接することでペン先のガタ付きを防止すると共にリフィールの軸芯を軸筒の軸芯に芯合わせする。
しかも、ガタ付き防止部とリフィールとの接触が接触面積の少ない線接触になるため、ペン先を出没させるときの摺動抵抗を少なくする。
【０００７】
【発明の実施の形態】
以下、本発明の実施の形態を図面に基づいて説明する。
図1は、本発明の一実施の形態である出没式筆記具Ａを示す。
出没式筆記具Ａは、軸筒1と、この軸筒1内に進退可能に装着されたリフィール３と、軸筒１内上部に組み込まれリフィール３をノック部７の操作により進退させる繰出し機構５と、軸筒１の先端部に螺合されてリフィール３のペン先３ａが出没する先口２と、軸筒１の後端部に螺合されてクリップ部４を固定すると共にノック部７を挿通した止め部材６とを備える。
【０００８】
軸筒１は、不透明又は透明な合成樹脂材料等から成型された略長尺筒状を呈し、先端近傍の内周面にリフィール３と接してペン先３ａのガタ付きを防止するガタ付き防止部１ａが一体に形成され、中間部よりやや上の内周面に繰出し機構５を掛止する掛止部１ｂが形成されている。
【０００９】
ガタ付き防止部１ａは、軸筒１の先端近傍の内周面から突出すると共に軸方向に延びる縦突起（以後、符号１ａを付けて説明する）であり、その突起先端部分の横断面が半円状を呈している。そして、このガタ付き防止部１ａは、同一円周上に等間隔に複数設けられており、それぞれの頂部をリフィール３のインク収容管３ｂの外周面に接している。従って、縦突起１ａとインク収容管３ｂとの接触は、複数箇所における線接触の状態となっている。
また、縦突起１ａの突出する高さ及び軸方向の長さは、リフィール３の進退を妨げない接触抵抗になるように設定されている。
【００１０】
リフィール３は、合成樹脂あるいは金属等からなる筒状のインク収容管３ｂの先端部分に、ボールハウスに転写ボール３ｃを回転可能に抱持してなるペン先３ａを嵌合し、インク収容管３ｂ内にインクを充填して構成されている。
そして、リフィール３は、後端部分が繰出し機構５に嵌合されている。
尚、このリフィール３の構成は従来技術による一般的なものであるが、ペン先３ａにインク収容管３ｂを嵌合するときにインク収容管３ｂの端部が拡管されるため、ペン先３ａとインク収容管３ｂとの接続箇所に段部３ｄが形成されている。
【００１１】
繰出し機構５は、軸筒１内に嵌入された筒状駒体５ｄ内に、掛止部１ｂに下端を掛止されたリターンスプリング５ａと、このリターンスプリング５ａを上方から押圧すると共にリフィール３の後端部分が嵌合された回転子５ｂと、この回転子５ｂに係合するようにしたノック軸５ｃとを備えてなり、ノック軸５ｃの後端部分に取付けられたキャップ状のノック部７をノック操作することによりリフィール３を往復動させる周知の技術である。
【００１２】
そして、この繰出し機構５は、ノック部７を押されることにより、回転子５ｂが前進しながら回転してリフィール３のペン先３ａを先端口２ａより突出する位置で係止し、再度ノック部７を押されることにより、回転子５ｂがリターンスプリング５ａの弾発力により行進しながら回転してペン先３ａを先口２内に収容する位置で係止するように構成されている。
【００１３】
尚、本実施の形態における繰出し機構５は、上記のようなノック式を適用しているが、回転操作によりペン先３ａを先口２から出没させる回転式であっても構わない。
【００１４】
先口２は、リフィール３のペン先３ａを出没させる貫通状の先端口２ａを内部に形成した逆円錐状を呈している。
先端口２ａは、後端側がインク収容管３ｂの外径よりもやや大きく形成されると共に先端側がペン先３ａの外径よりもやや大きく形成されている。即ち、この先端口２ａの先端側と前記縦突起１ａとの二点支持により、リフィール３のガタ付き防止と軸筒１の軸芯に対する芯合わせがなされるようにしている。
【００１５】
止め部材６は、ノック部７を往復動自在に挿通すると共に軸筒１の側面に設けられたクリップ部４の上端環状部分を挟み押さえるようにして軸筒１後端部に螺合されている。
【００１６】
以上の如く構成した本実施の形態の出没式筆記具は、下記の作用効果を奏する。
リフィール３の外周面が軸筒１内の先端近傍において複数の縦突起１ａに均等に接触してリフィール３の軸芯と軸筒１の軸芯とを芯合わせするため、筆記時にペン先３ａの転写ボール３ｃを紙面に押圧しても、リフィール３の先端側が縦突起１ａにより支えられるのでペン先３ａががた付くことがない上、ペン先３ａを突出させる際に、インク収容管３ｂとペン先３ａと接続箇所に形成された段部３ｄが先端口２ａにおける後端側縁部２ｂに引っ掛かることがない。
しかも、リフィール３の外周面と縦突起１ａとの接触が接触面積の少ない線接触であるため、ノック操作時にはスムーズにリフィール３を摺動してペン先３ａを出没させる。
また、縦突起１ａが軸筒１に一体に形成されているので、軸筒１先端部分の構造が簡素で部品点数も比較的少なく、これにより、縦突起１ａが外れる等の不良が発生しないのは勿論、製造時の組立て工数を大幅に低減する。
【００１７】
尚、本実施の形態において縦突起１ａは、軸筒１の内周面に設けたが、先口２の内周面に設けるようにしても構わない。
また、縦突起１ａは、先端部横断面半円形状に複数形成したが、リフィール３との接触抵抗を小さくしてリフィール３の往復動を妨げないようにすれば、先端部を横断面三角形状にして複数形成してもよい。
【発明の効果】
本発明は、以上説明したように構成されているので、以下の効果を奏する。
ガタ付き防止部がリフィールに接してペン先のガタ付きを防止すると共にリフィールの軸芯を軸筒の軸芯に芯合わせするため、ペン先がガタ付いたり先口内で引っ掛かったりすることなく出没するのは勿論のこと、ガタ付き防止部が一体に形成されて部品点数が比較的少なく簡素な構造であるため、製造時の組立て工数を大幅に低減する上、ガタ付き防止部の外れ等の不良がなく、リフィールのガタ付き防止機能及び芯出し機能を備えると共に生産性に優れ且つ高品質な出没式筆記具を提供できる。
更に、ガタ付き防止部とリフィールとの接触が接触面積の少ない線接触となるのでペン先出没時の摺動抵抗が少なく、これにより、ペン先の出没をスムーズにし、操作性のよい出没式筆記具を提供できる。
【図面の簡単な説明】
【図１】  本発明に係わる出没式筆記具の実施の一例で、（イ）は縦断面図を示し、（ロ）はロ−ロ線拡大断面図を示す
【符号の説明】
１：軸筒
１ａ：ガタ付き防止部（縦突起）
２：先口
２ａ：先端口
３：リフィール
３ａ：ペン先
５：繰出し機構
【図１】
0003943721.tif 000002